(57)【要約】【課題】  ＩＳＮ回線やＡＴＭ回線等ＳＮＭＰプロコトルが使用できない回線の障害時に、迅速な検知と対応が可能となり、結果、システム復旧までの時間も短縮されるため、システム通信断時の経済的損失を抑制する事ができるようにすることにある。【解決手段】  回線終端装置とネットワーク監視装置との間に回線終端装置のＬＥＤランプの点灯、点滅等を検知する識別装置とデータ受信用コンピュータを配置付加し、この識別装置やコンピュータ等をもってＩＳＤＮ回線やＡＴＭ回線障害時に、ＳＮＭＰプロトコルを使用しネットワーク監視装置に障害通報する事により、障害検知を行える構成する。【選択図】  図１
2009301306.tif 000002
【特許請求の範囲】
【請求項１】
ＳＮＭＰプロトコルが使用不可の回線の回線終端装置と、識別装置と、データ受信用コンピュータと、ネットワーク監視装置からなり、前記回線終端装置は回線に障害が発生したとき光る又は点灯、点滅を繰り返し、該回線終端装置の状態を表示するランプを備え、前記識別装置は前記回線終端装置のランプの点灯、点滅を検知するカメラからなる映像受信部、該カメラで撮った点滅、点灯の信号を映像データに変換する映像データ変換部、該映像データ変換部の映像データを前記データ受信用コンピュータに送信する送信部を含み、前記データ受信用コンピュータは前記識別装置の情報送信部から送信されたデータを受信する受信部、該受信部の受信データをＳＮＭＰフォマットに変換するデータＳＮＰ変換部、該変換部のデータをＩＰネットワークを介して前記ネットワーク監視装置に送信する送信部を含み、前記回線終端装置の回線状態を、前記識別装置、データ受信用コンピュータを介して前記ネットワーク監視装置に転送し、該ネットワーク監視装置上に回線状態を表示する事を特徴とするネットワーク状態監視システム。
【請求項２】
請求項１の識別装置に光センサを用い、前記回線終端装置が発するランプの光色又は点滅状況の変化を検知する事を契機に前記ネットワーク監視装置へＴＲＡＰを発行し前記ネットワーク監視装置に障害を検知させるネットワーク状態監視システム。
【発明の詳細な説明】
【技術分野】
【０００１】
本発明は、回線終端装置監視方式に関し、例えばＩＰネットワーク機器を使用して障害検知のできない装置のネットワーク監視装置に関し、更に詳しくはＳＮＭＰ（Simple Network Management Protocol）プロトコルが使用できないＩＳＤＮやＡＴＭ回線に障害が発生したとき、迅速な検知が可能となり、障害部位の特定が迅速に行えるネットワーク状態監視方式に関するものである。
【背景技術】
【０００２】
ＳＮＭＰとは、ＴＣＰ／ＩＰネットワークにおいて、ルータやコンピュータ、端末など、ネットワークに接続された通信機器ネットワーク経由で監視・制御するためのプロトコルであって、制御の対象となる機器はＭＩＢ（Management Information Base：SNMPで管理されるネットワーク機器が、自分の状態を外部に知らせるために公開する情報のこと）と呼ばれる管理情報データベースをもっており、管理を行う機器は対象機器のＭＩＢに基づいて適切な設定を行うものである。
【０００３】
従来、ＳＮＭＰプロトコルが使用できないＩＳＤＮやＡＴＭ回線に障害検知は人手に頼っていた。
【０００４】
【特許文献１】特開平９−２３１１４２号公報
【発明の開示】
【発明が解決しようとする課題】
【０００５】
最近のネットワークは、ほぼＩＰプロトコル群で統一されつつあり、また、ネットワーク監視方式もＩＰプロトコル群の一つであるＳＮＭＰプロトコルで統一されつつある。そして、障害検知方式を統合しており、ＩＳＤＮ回線やＡＴＭ回線等はＩＰプロトコルと異なるため、障害検知にＳＮＭＰプロトコルが使用できない。ＩＳＤＮ回線やＡＴＭ回線の障害は通信業者か使用者の申告に依存しており、ＩＳＤＮ回線やＡＴＭ回線の障害検知が遅くなる。又、ＩＳＤＮ回線やＡＴＭ回線の障害検知後、通信業者作業員が回線終端装置設置場所に移動し、回線終端装置の状態から障害部位の特定を行っており、回復作業が遅くなる。
【０００６】
本発明の目的はかかる問題を是正することにあり、ＩＳＮ回線やＡＴＭ回線等ＳＮＭＰプロコトルが使用できない回線の障害時に、迅速な検知と対応が可能となり、結果、システム復旧までの時間も短縮されるため、システム通信断時の経済的損失を抑制する事ができるネットワーク状態監視方式を提供することにある。
【課題を解決するための手段】
【０００７】
ＩＳＤＮ回線やＡＴＭ回線は障害時に、回線終端装置の例えばＬＥＤランプが点灯又は点滅する如く構成されているので、本方式では回線終端装置とネットワーク監視装置との間に回線終端装置のＬＥＤランプの点灯、点滅等を検知する識別装置とデータ受信用コンピュータを配置付加し、この識別装置やコンピュータ等をもってＩＳＤＮ回線やＡＴＭ回線障害時に、ＳＮＭＰプロトコルを使用しネットワーク監視装置に障害通報する事により、障害検知を行える構成とした。
【発明の効果】
【０００８】
本発明によれば、識別装置を設けることにより、ＩＳＤＮ回線やＡＴＭ回線等ＳＮＭＰプロコトルが使用できない回線の障害時に、迅速な検知と対応が可能となり、結果、システム復旧までの時間も短縮されるため、システム通信断時の経済的損失を抑制する事ができる。
【発明を実施するための最良の形態】
【０００９】
以下、本発明の実施の形態を、図面を参照して説明する。図１は、本発明のネットワーク状態監視方式の構成を示すブロック図である。
【００１０】
同図において１００はネットワーク監視装置、１０１は回線終端装置、１０２は回線終端装置の状態を示し、障害が発生したとき、点滅信号及び点灯信号を発生する例えばＬＥＤからなるランプからなる。１０３はランプの点滅信号、点灯信号を受信する光センサー映像受信部、１０４は光センサー映像受信部の信号を映像データに変換する光センサー映像データ変換部、１０５は光センサー情報送信部である。これらは例えばＰＨＳ等の通信機能を有する装置にて構成すると良い。１０６はデータ受信パソコン情報受信部、１０７はデータ受信パソコン受信データＳＮＭＰ変換部、１０８はデータ受信パソコン情報送信部である。これらは例えばパーソナルコンピュータにて構成される。データ受信用パソコンとＩＰネットワーク監視装置１００はＩＰネットワークにて接続されている。
【００１１】
図２は、回線終端装置１０１の回線側に障害が発生した場合、その障害を回線終端装置１０１からネットワーク監視装置１００に通知するまでの処理手順を示す図、図３はネットワーク監視装置の処理動作を示す図である。以下、これらの図を参照して回線の障害監視動作について説明する。
【００１２】
回線終端装置側の回線に障害が発生すると、回線終端装置１０１に設けられたランプ１０２が、点滅及び点灯し、点滅及び点灯信号が発光される（ステップＳ２０１）。この発光は、光センサー映像受信部１０３が検知する（ステップ２０２）。
【００１３】
すると、映像データ変換部１０４はこの信号を２バイトのデジタル信号に変換する（ステップＳ２０３）。この時、点滅は”１００００００”となり、点灯は”１０１０１０１０”となる。光センサーはデジタル変換した光信号をデータ受信パソコンに情報送信部１０５を使用して転送する（ステップ２０４）。この時のデータ書式、プロトコルの取決めはなく、何れの書式、プロトコルでも良い。
【００１４】
データ受信パソコンは情報受信部１０６でデジタルデータを受取った（ステップ２０５）後、受信データＳＮＭＰ変換部１０８でＳＮＭＰ ＴＲＡＰ（複数の管理者に送信することができ、管理者ごとにコミュニティ名やＳＮＰのバーｓジョンを変更することが可能）  企業ＴＲＡＰヘッダに書き込む（ステップ２０６）。この時、企業ヘッダに書き込む値は特に問題としない。ネットワーク監視装置１００が認識できれば良い。この際、ＳＮＭＰコミュニティ名はネットワーク監視装置１００に合わせる事とする。ネットワーク監視装置１００はデータ受信パソコンからＳＮＭＰ ＴＲＡＰを受信した時任意の方法で管理者へ障害内容を伝える（ステップＳ２０７）。
【００１５】
ネットワーク監視装置１００はＳＮＭＰデータを受信し（ステップＳ３０１）、企業ＭＩＢヘッダ読取部（図示せず）にて読み取る（ステップＳ３０２）。ここで登録情報の有無を判断し（ステップＳ３０３）、有りの場合、ネットワーク監視装置は読み取ったＭＩＢデータに該当する障害内容を任意の方式で管理者に通知する（ステップＳ３０４）。
【図面の簡単な説明】
【００１６】
【図１】本願発明の一例を示すブロック構成図である。
【図２】回線終端装置が点滅してからデータ受信パソコンがネットワーク監視装置にＳＮＭＰ ＴＲＡＰデータを送信するまでのフロー図である。
【図３】ネットワーク監視装置がデータ受信パソコンからＳＮＭＰ  ＴＲＡＰを受信してから障害通知するまでのフロー図である。
【符号の説明】
【００１７】
１００ … ネットワーク監視装置
１０１ … 回線終端装置
１０２ … 点滅信号及び点灯信号
１０３ … 光センサー映像受信部
１０４ … 光センサー映像データ変換部
１０５ … 光センサー情報送信部
１０６ … データ受信パソコン情報受信部
１０７ … データ受信パソコン受信データＳＮＭＰ変換部
１０８ … データ受信パソコン情報送信部である。
【図１】
2009301306.tif 000003
【図２】
2009301306.tif 000004
【図３】
2009301306.tif 000005